(57)【要約】【課題】記録装置において吐出するインクの色構成を変更する際でも、作業者による記録データの作成および変更が不要である記録システムおよび情報処理装置を実現すること。【解決手段】情報処理装置が、各記録装置からデバイス情報を取得して、そのデバイス情報に従って記録装置情報テーブルを作成して記録を行う。【選択図】図３
2010089411.tif 000002
【特許請求の範囲】
【請求項１】
インクを吐出する複数の記録ヘッドを備えた複数の記録部と、前記記録ヘッドが行う記録の記録データを作成する情報処理手段と、を備えた記録システムにおいて、
前記情報処理手段は、複数の前記記録部の位置情報と、複数の前記記録部が備える複数の前記記録ヘッドの色情報と、が含まれたデバイス情報を前記記録部から取得し、
前記デバイス情報を基に、記録に用いる記録データを作成することを特徴とする記録システム。
【請求項２】
前記位置情報は、前記記録部の行列情報、配置順序、数量情報が含まれていることを特徴とする請求項１に記載の記録システム。
【請求項３】
前記色情報は、前記記録部が備えている前記記録ヘッドの数量と、前記記録ヘッドが吐出する前記インクの色が含まれていることを特徴とする請求項１または請求項２に記載の記録システム。
【請求項４】
複数の前記記録部のうちの１つの前記記録部が備えている複数の前記記録ヘッドがそれぞれ吐出する前記インクの色は、同色であることを特徴とする請求項１ないし請求項３のいずれかに記載の記録システム。
【請求項５】
複数の前記記録部のうちの１つの前記記録部が備えている複数の前記記録ヘッドがそれぞれ吐出する前記インクの色は、全てが異なる色であることを特徴とする請求項１ないし請求項３のいずれかに記載の記録システム。
【請求項６】
複数の前記記録部は、千鳥状に配置されていることを特徴とする請求項１ないし請求項５のいずれかに記載の記録システム。
【請求項７】
複数の前記記録部は、直線的に配置されていることを特徴とする請求項１ないし請求項５のいずれかに記載の記録システム。
【請求項８】
インクを吐出する複数の記録ヘッドを備えた複数の記録部とインターフェースを介して接続された情報処理手段であり、
複数の前記記録部の位置情報と、複数の前記記録部が備える複数の前記記録ヘッドの色情報と、が含まれたデバイス情報を前記記録部から取得し、
前記デバイス情報を基に、記録に用いる記録データを作成することを特徴とする情報処理手段。
【請求項９】
前記位置情報は、前記記録部の行列情報、配置順序、数量情報が含まれていることを特徴とする請求項８に記載の情報処理手段。
【請求項１０】
前記色情報は、前記記録部が備えている前記記録ヘッドの数量と、前記記録ヘッドが吐出する前記インクの色が含まれていることを特徴とする請求項８または請求項９に記載の情報処理手段。
【請求項１１】
複数の前記記録部のうちの１つの前記記録部が備えている複数の前記記録ヘッドがそれぞれ吐出する前記インクの色は、同色であることを特徴とする請求項８ないし請求項１０のいずれかに記載の情報処理手段。
【請求項１２】
複数の前記記録部のうちの１つの前記記録部が備えている複数の前記記録ヘッドがそれぞれ吐出する前記インクの色は、全てが異なる色であることを特徴とする請求項８ないし請求項１０のいずれかに記載の情報処理手段。
【請求項１３】
複数の前記記録部は、千鳥状に配置されていることを特徴とする請求項８ないし請求項１２のいずれかに記載の情報処理手段。
【請求項１４】
複数の前記記録部は、直線的に配置されていることを特徴とする請求項８ないし請求項１２のいずれかに記載の情報処理手段。
【発明の詳細な説明】
【技術分野】
【０００１】
本発明は、共通の（１枚の）記録媒体に複数の記録部を用いて、記録を行う記録システムおよび情報処理手段に関するものである。
【背景技術】
【０００２】
近年、インクジェット記録方式を採用した記録ヘッドを用いてカラーの記録を行う記録装置では、ビジネスフォーム（各種伝票）への記録のような高速連続記録が求められている。記録を行うに当たり、記録装置に内蔵されている記録ヘッドの色構成がＣ（シアン）、Ｍ（マゼンタ）、Ｙ（イエロー）、Ｋ（ブラック）であり、１色あたり１ヘッドしか備えていない記録装置の場合、高速な記録を行うのは困難である。そのため、従来より記録の高速化の目的で１色あたりの記録ヘッドの数を複数にして記録を行う方法が採られている。
【０００３】
特許文献１には、Ｙ、Ｍ、Ｃ、Ｋの各色を吐出する４つの記録ヘッドが一体となったヘッドユニットを１台の記録装置に４つ搭載して、記録の高密度化と高速化を実現する技術が開示されている。
【０００４】
また特許文献２には、Ｙ、Ｍ、Ｃ、Ｋの色を吐出する、４つの記録ヘッドを搭載したヘッドユニットと、Ｋの色を吐出する記録ヘッドを４つ備えたヘッドユニットとの２つのヘッドユニットを搭載した記録装置で、高速モノクロ印刷を行なう技術が開示されている。
【０００５】
また、ヘッドユニットが備える記録ヘッドの色構成がＣＣＣＣ、つまりＣ（シアン）専用のヘッドユニットのように、単色の記録ヘッドを複数備えたヘッドユニットを、Ｙ、Ｍ、Ｃ、Ｋの各色分備えることで高速記録を可能にする方法も行われている。
【０００６】
【特許文献１】特開２００３−１２７３５２号公報
【特許文献２】特開２００７−１２５１号公報
【発明の開示】
【発明が解決しようとする課題】
【０００７】
このように同色のインクを複数の記録ヘッドから吐出することで、記録の高速化を図ることが可能である。しかし、ヘッドユニットが備えている４つの記録ヘッドで４色（ＹＭＣＫ）の色を吐出する状態から色構成を変更して、例えば上記のようにヘッドユニットが備えている４つの記録ヘッドからＣの色のみを吐出する場合、記録データを変更しなければならない。
【０００８】
上記のように、カラー印刷を高速で行なう場合と、モノクロ印刷を高速で行なう場合とでは、ヘッドユニットに搭載する記録ヘッドの色の組み合わせが異なることがある。従来このように色の組み合わせが異なる記録を行う場合には、その都度作業者が記録データを作り直して入力していた。よって、ヘッドユニットに搭載する記録ヘッドの色の組み合わせを変更することで、作業性が悪くなることが懸念されていた。
【０００９】
よって本発明は、記録装置において吐出するインクの色構成を変更する際でも、作業者による記録データの作成および変更が不要である記録システムおよび情報処理手段を実現することを目的とする。
【課題を解決するための手段】
【００１０】
そのため本発明の記録システムは、インクを吐出する複数の記録ヘッドを備えた複数の記録部と、前記記録ヘッドが行う記録の記録データを作成する情報処理手段と、を備えた記録システムにおいて、前記情報処理手段は、複数の前記記録部の位置情報と、複数の前記記録部が備える複数の前記記録ヘッドの色情報と、が含まれたデバイス情報を前記記録部から取得し、前記デバイス情報を基に、記録に用いる記録データを作成することを特徴とする。
【００１１】
また、本発明の情報処理手段は、インクを吐出する複数の記録ヘッドを備えた複数の記録部とインターフェースを介して接続された情報処理手段であり、複数の前記記録部の位置情報と、複数の前記記録部が備える複数の前記記録ヘッドの色情報と、が含まれたデバイス情報を前記記録部から取得し、前記デバイス情報を基に、記録に用いる記録データを作成することを特徴とする。
【発明の効果】
【００１２】
本発明によれば、情報処理部は、複数の記録部の位置情報と、複数の記録部が備える複数の記録ヘッドの色情報と、が含まれたデバイス情報を記録部から取得し、そのデバイス情報を基に、記録に用いる記録データを作成する。これによって、記録装置が、吐出するインクの色構成を変更する際でも、作業者による記録データの作成および変更が不要である記録システムおよび情報処理手段を実現することができた。
【発明を実施するための最良の形態】
【００１３】
（第１の実施形態）
以下、図面を参照して本発明の第１の実施形態を説明する。  
図１は、本発明の第１の実施形態の記録システムの概略構成である。本実施形態の記録システム１０００は、通信インターフェース１０１を備えた情報処理装置１００を備えており、情報処理装置１００は、通信インターフェース１０１を介して複数の記録装置１１０〜１８０に接続されている。なお、本実施形態では記録装置１１０〜１８０の８台の記録装置の構成で説明するが、８台に限定するものではなく、８台以上または８台未満の記録装置が接続されても同様の効果を得ることができる。
【００１４】
通信インターフェース１０１は、情報処理装置１００に複数の記録装置１１０〜１８０が接続可能なＵＳＢ(ユニバーサルシリアルバス)、ＩＥＥ１３９４、ネットワーク（１０／１００／１０００ＢａｓｅＴ）などのインターフェースである。本実施形態では、有線タイプの通信インターフェース１０１を使用しているが、無線ＬＡＮ等の無線タイプの通信インターフェースでも同様の効果が得られる。また、インターフェース１０１がネットワークやＵＳＢなどの場合、情報処理装置１００と記録装置１１０〜１８０を接続するうえでＨＵＢを介しても同様の効果が得ることができる。
【００１５】
記録装置１１０〜１８０は、搬送装置１０５に設置されており、その搬送装置１０５は給紙部１０２と搬送部１０３と排紙部１０４とを備えている。記録媒体Ｐは搬送装置１０５によって矢印θ方向に搬送され、記録部Ｅと記録部Ｆとに記録が行われる。
【００１６】
情報処理装置１００は、通信インターフェース１０１を介し接続されている記録装置１１０〜８０から各記録装置の位置情報を読み取り、その読み取った情報を基に記録装置１１０〜８０の位置を認識する。また、位置情報と共に記録装置の数量および記録装置が備えている各記録ヘッドの色を認識することで、記録するデータを分割して、記録データの生成および分割処理（各記録装置への割り当て）を実施する。そして、さらに情報処理装置１００は、生成した記録データを各記録装置１１０〜１８０へ転送する。
【００１７】
図２は、記録装置１１０〜１８０を示す概略構成図である。各記録装置１１０〜１８０には、それぞれ３つの記録ヘッドとＣＰＵ（不図示）、制御プログラムを記憶するＲＯＭ(不図示)、記録データを記憶するＲＡＭ(不図示)、情報処理装置１００と通信を行うための通信インターフェース(不図示)が備えられている。さらに各記録装置１１０〜１８０には、各記録ヘッド１１０〜１８０を制御する記録ヘッド制御部(不図示)、各記録ヘッド内のメモリに、読み込みや書き込みを行うメモリ制御(Ｒ／Ｗ)回路(不図示)が備えられている。
【００１８】
本実施形態の記録システム１０００が備えている記録装置１１０〜１８０の配置は、記録媒体の片側一方の記録部Ｅ（図１参照）を担う記録装置１１０、１３０、１５０、１７０と、記録媒体の他方の側の記録部Ｆ（図１参照）を担う記録装置１２０、１４０、１６０、１８０とに分かれている。そして、記録装置１１０が備えている記録ヘッド２１０〜２１２および記録装置１２０が備えている記録ヘッド２２０〜２２２は、Ｃ（シアン）の色のインクを吐出する。記録装置１３０が備えている記録ヘッド２３０〜２３２および記録装置１４０が備えている記録ヘッド２４０〜２４２は、Ｍ（マゼンタ）の色のインクを吐出する。記録装置１５０が備えている記録ヘッド２５０〜２５２および記録装置１６０が備えている記録ヘッド２６０〜２６２は、Ｙ（イエロー）の色のインクを吐出する。記録装置１７０が備えている記録ヘッド２７０〜２７２および記録装置１８０が備えている記録ヘッド２８０〜２８２は、Ｋ（ブラック）の色のインクを吐出する。本実施形態では１つの記録装置に備えられている記録ヘッドは同一の色を記録するが、異なる色を記録するように構成してもよい。つまり、記録に必要な色を、どの記録装置のどの記録ヘッドに備えてもよい。
【００１９】
図３は、情報処理装置１００が記録装置１１０〜１８０から位置および記録色情報を読み取ると共に記録装置の数量(１ページの記録を行う際に分割する分割数)を認識するためのフローチャートである。以下、フローチャートに沿って処理内容を説明する。
【００２０】
処理が開始され情報処理装置１００に記憶されている記録プログラムが実行されると、ステップＳ３０１で、情報処理装置１００は、通信インターフェース１０１を介して接続された記録装置１１０〜１８０を検索する。そして、ステップＳ３０２に移行し、接続されている記録装置があればステップＳ３１１へ移行し、記録装置が接続されていなければ処理を終了する。
【００２１】
ステップＳ３１１では、後述するステップＳ３０８で生成する記録装置情報テーブルがまだ生成されていない記録装置が接続されているかを確認する。記録装置情報テーブルがまだ生成されていない記録装置が接続されてればステップＳ３０３へ移行する。
【００２２】
ステップＳ３０３では、記録装置情報テーブルが未生成の記録装置に対応するポートをオープンするが、記録装置情報テーブルが未生成の記録装置が複数ある場合は、そのうちの１つのポートだけをオープンする。本実施形態では各ポートのシリアル番号順にポートを開く。なお、各ポートのシリアル番号順にポートを開くことに限定するものではなく、どのような順番でポートを開くかは、任意に定めることができる。
【００２３】
次にステップＳ３０４で、デバイス情報(位置、記録色情報を含む)を記録装置から取得する。このデバイス情報は、記録装置の配置（行列情報、配置順序を含む）、記録装置の記録ヘッドの配置、記録ヘッドの色等に関する情報が含まれており、情報処理装置１００は、このデバイス情報を基に記録装置情報テーブルを作成する。
【００２４】
次にステップＳ３０５で、ステップＳ３０４で取得したデバイス情報をチェックする。チェック内容は、同じ行と列の位置情報の記録装置が既に存在するか等である。ここでのチェック時に通信エラー等のチェックも合わせて実施する。ステップＳ３０５でデバイス情報が正常である場合にはステップＳ３０６へと移行し、正常でない場合にはステップＳ３０７へと移行する。
【００２５】
ステップＳ３０６では、記録装置情報のカウントアップを行い、記録装置の数量を認識する。その後、ステップＳ３０８へ移行して位置情報および記録色情報を含む、後述する記録装置情報テーブルを生成する。このように、本実施形態では、情報処理装置１００がステップＳ３０４で取得した、記録装置の位置や色情報を含むデバイス情報を用いて記録装置情報テーブルを生成している。これによって、記録に必要な色をどの記録装置のどの記録ヘッドに備えるかを自由に選択することができる。
【００２６】
ステップＳ３０９で記録装置に対しての通信ポートをクローズし、再度ステップＳ３１１に戻り、ステップＳ３１１からステップＳ３０９の処理を繰り返す。ステップＳ３１１で記録装置情報テーブルを未生成の記録装置が無ければ処理を終了する。
【００２７】
ステップＳ３０５でデバイス情報が正常ではないと判断した場合、ステップＳ３０７で接続異常情報を作成して、ステップＳ３１２で対応する記録装置のポートを閉じて処理を終了する。
【００２８】
図４は、図３のステップＳ３０８で作成される記録装置情報テーブルの構成を示す図である。記録装置情報テーブル４００は、記録装置位置情報コマンド４０１と、行方向位置情報４０２と列方向情報４０３および１〜３番目の記録ヘッドの記録色情報４０４〜４０６から構成される。行方向位置情報４０２と列方向情報４０３から、千鳥状に配列された記録装置１１０〜１８０の構成について情報処理装置１００で認識が可能となる。
【００２９】
図５は、情報処理装置１００に記憶されている記録データ作成プログラムによって、各記録装置の記録データを作成するフローチャートを示している。
【００３０】
情報処理装置１００は、ユーザにより記録データの生成が開始が指示されると、ステップＳ５０１において、図３のステップＳ３０１で確認した、接続された接続記録装置の数量情報と、図４の記録装置情報テーブルを取得する。そしてステップＳ５０２で、記録装置情報テーブル内の記録色情報から記録する色（本実施形態ではシアン、マゼンタ、イエロー、ブラック）の記録データの内シアンの１ページ分の記録データを作成する。
【００３１】
次に、ステップＳ５０３で、作成した記録データを、記録装置１１０と記録装置１２０に送信する記録データに分割する。ステップＳ５０４では、ステップＳ５０２と同様に１ページ分のマゼンタの記録データを作成し、ステップＳ５０５で、記録装置１３０と記録装置１４０に送信する記録データに分割する。ステップＳ５０６では、１ページ分のイエローの記録データを作成し、ステップＳ５０７で、記録装置１５０と記録装置１６０に送信する記録データに分割する。ステップＳ５０８では、１ページ分のブラックの記録データを作成し、ステップＳ５０９で、記録装置１７０と記録装置１８０に送信する記録データに分割する。以上のような処理工程によって情報処理装置１００は記録データを作成する。
【００３２】
図６は、情報処理装置１００の記録データ作成プログラムで記録データが各記録装置へ転送される際の動作シーケンスを示すフローチャートである。ユーザが情報処理装置１００上で記録データの送信を指示すると、ステップＳ６０１において、ステップＳ３０１で確認した接続記録装置数量を参照して、記録データを転送した回数と接続記録装置数量とを比較する。
【００３３】
次にステップＳ６０２で各記録装置の通信リソース情報(ポートの識別子やポート名、ポートのシンボル名など)と、行方向位置情報４０２と列方向情報４０３とを参照して記録データが転送されていない記録装置の通信ポートをオープする。そしてステップＳ６０３で記録装置に対して分割された記録データが通信インターフェース１０１を介し転送される。
【００３４】
次にステップＳ６０４において、ステップＳ６０３でデータ転送が正常に行われたをチェックし、通信エラーが発生していなければステップＳ６０５へと移行し、通信エラーが発生していたらステップＳ６０７へと移行する。ステップＳ６０５では、通信ポートをクローズし、ステップＳ６０６で繰り返し用のカウンタの接続台数を減らす。以下、ステップＳ６０１からステップＳ６０６までを繰り返し、ステップＳ６０１で記録データ未転送の記録装置が無い場合にはステップＳ６０７へと移行する。
【００３５】
ステップＳ６０４からあるいはステップＳ６０１からステップＳ６０７へ移行した場合は、ステップＳ６０７で正常に転送が完了した記録装置の数量をセットしてステップＳ６０８へと移行する。
【００３６】
ステップＳ６０８では、ステップＳ６０７でセットされた記録装置の数量が、接続されている記録装置の数量と等しいかを判断する。これによって、全ての記録データの転送が正常に行われたかを判断している。等しい場合には記録データ転送を終了し、等しくない場合にはステップＳ６０９でエラー表示を行ってから終了する。
【００３７】
なお、本実施形態では、複数の記録ヘッドを備えた、複数の記録装置による記録システムの構成を例に説明したがこれに限定するものではない。つまり、複数の記録ヘッドを備えた、複数のヘッドユニットで構成された１台の記録装置という構成でも本発明の目的を達成することができる。
【００３８】
このように、情報処理装置が、各記録装置からデバイス情報を取得して、そのデバイス情報に従って記録装置情報テーブルを作成して記録を行う。これによって、記録装置において吐出するインクの色構成を変更する際でも、作業者による記録データの作成および変更が不要である記録システムおよび情報処理手段を実現することができた。
【００３９】
（第２の実施形態）
以下、図面を参照して本発明の第２の実施形態を説明する。なお、本実施形態の基本的な構成は第１の実施形態と同様であるため省略し、以下には特徴的な構成についてのみ説明する。
【００４０】
図７は、高速記録を行うために矢印α方向（列方向）に１台、矢印β方向（行方向）に８台の記録装置を配置した本実施形態の記録システムの概略構成である。本実施形態では、全ての記録装置が直線的に配置されており、８台の記録装置で順に２台づつが同色のインクを吐出するように構成されている。記録装置１１０、１２０は３つの記録ヘッドから共にシアンのインクを吐出して記録を行う。同様に記録装置１３０、１４０はマゼンタのインクを吐出し、記録装置１５０、１６０はイエローのインクを吐出し、記録装置１７０、１８０はブラックのインクを吐出する。
【００４１】
同色のインクを吐出する各記録装置に送られる記録データは、１ページ分の記録データを奇数行と偶数行とに分割したもののいずれか一方が送られる。
【００４２】
なお、本実施形態では矢印β方向（行方向）に同一な色構成の記録装置を２台配置した例で説明したが、これに限定するものではなく同一な色構成の記録装置を２台以上配置してもよい。
【００４３】
このように、情報処理装置が、各記録装置からデバイス情報を取得して、そのデバイス情報に従って記録装置情報テーブルを作成し、行方向に同一な色構成の記録装置を２台以上配置して記録を行う。これによって、記録装置において吐出するインクの色構成を変更する際でも、作業者による記録データの作成および変更が不要である記録システムおよび情報処理手段を実現することができた。
【図面の簡単な説明】
【００４４】
【図１】本発明の第１の実施形態の記録システムの概略構成図である。
【図２】記録装置を示す概略構成図である。
【図３】情報処理装置が記録装置から位置および記録色情報を読み取ると共に記録装置の数量を認識するためのフローチャートである。
【図４】記録装置情報テーブルの構成を示す図である。
【図５】情報処理装置に記憶されている記録データ作成プログラムによって、各記録装置の記録データを作成するフローチャートを示している。
【図６】情報処理装置の記録データ作成プログラムで記録データが各記録装置へ転送される際の動作シーケンスを示すフローチャートである。
【図７】高速記録を行うための第２の実施形態の記録システムの概略構成図である。
【符号の説明】
【００４５】
１００  情報処理装置
１０１  通信インターフェース
１０２  給紙部
１０３  搬送部
１０４  排紙部
１１０  記録装置
１２０  記録装置
１３０  記録装置
１４０  記録装置
１５０  記録装置
１６０  記録装置
１７０  記録装置
１８０  記録装置
１０００  記録システム
【図１】
2010089411.tif 000003
【図２】
2010089411.tif 000004
【図３】
2010089411.tif 000005
【図４】
2010089411.tif 000006
【図５】
2010089411.tif 000007
【図６】
2010089411.tif 000008
【図７】
2010089411.tif 000009